(57)【要約】【課題】本発明は、被認証者の生体情報を更新するときに、管理者と被認証者との同席による本人確認の作業を不要とすることができる個人識別装置を得ることを目的とするものである。【解決手段】生体情報登録部としての個人識別装置本体１には、複数の被認証者の指紋情報が認証用指紋情報として登録されている。また、個人識別装置本体１には、複数の被認証者の顔画像情報が認証用顔画像情報として登録されている。個人識別装置本体１に登録された認証用指紋情報及び認証用顔画像情報を被認証者毎の個人識別情報に互いに対応付けられている。さらに、個人識別装置本体１には、被認証者の指紋を読み取り指紋情報を生成する指紋センサ部２と、被認証者の顔画像を撮影し顔画像情報を生成する顔撮像部３と、被認証者又は管理者から操作される操作部４と、個人識別装置本体１からの情報を表示する表示部５とが接続されている。【選択図】図１
2007289331.tif 000002
【特許請求の範囲】
【請求項１】
同一の被認証者の互いに異なる身体的特徴の情報である第１及び第２の生体情報を、それぞれ第１及び第２の認証用生体情報として互いに対応付けて登録可能であり、被認証者から取得した上記第１の生体情報である第１の取得生体情報を用いた個人認証を行うと、同一の被認証者から取得した上記第２の生体情報である第２の取得生体情報を、上記第２の認証用生体情報を更新するための仮登録生体情報として仮登録する生体情報登録部
を備え、
上記生体情報登録部は、管理者から確認操作を受けると、予め仮登録した上記仮登録生体情報を新たな上記第２の認証用生体情報として更新することを特徴とする個人識別装置。
【請求項２】
同一の被認証者の互いに異なる身体的特徴の情報である第１及び第２の生体情報を、それぞれ第１及び第２の認証用生体情報として互いに対応付けて登録可能であり、被認証者からそれぞれ取得した上記第１及び第２の生体情報である第１及び第２の取得生体情報を用いた個人認証を行うと、上記第２の取得生体情報を新たな上記第２の認証用生体情報として自動更新を行う生体情報登録部
を備えていることを特徴とする個人識別装置。
【請求項３】
上記生体情報登録部は、上記第１及び第２の取得生体情報を用いた個人認証を行うと、取得した上記第１の取得生体情報を新たな上記第１の認証用生体情報として自動更新を行うことを特徴とする請求項２記載の個人識別装置。
【請求項４】
上記第１の生体情報とは指紋情報であり、上記第２の生体情報とは顔画像情報であることを特徴とする請求項１から請求項３までのいずれか１項に記載の個人識別装置。
【請求項５】
上記第１の生体情報とは顔画像情報であり、上記第２の生体情報とは指紋情報であることを特徴とする請求項１から請求項３までのいずれか１項に記載の個人識別装置。
【発明の詳細な説明】
【技術分野】
【０００１】
この発明は、被認証者の顔画像情報及び指紋情報等を含めた複数の生体情報を用いて被認証者の個人認証を行う個人識別装置に関するものである。
【背景技術】
【０００２】
従来の個人認証装置の入力装置では、顔撮像装置及び指紋センサにより被認証者の顔画像情報及び指紋情報が取得され、取得された顔画像情報及び指紋情報に基づいて被認証者が個人認証を受ける（例えば、特許文献１参照）。
【０００３】
【特許文献１】特開２００４−６２８４６号公報
【発明の開示】
【発明が解決しようとする課題】
【０００４】
一般的に、生体認証に用いられる被認証者の身体的特徴は、被認証者の成長及び老化に伴い変化するため、個人認証装置に登録される認証用生体情報が定期的に更新される。また、上記のような従来の個人認証装置の入力装置では、認証用生体情報の更新の際に管理者と被認証者とが同席し、セキュリティ性を維持するために管理者による被認証者の本人確認が行われた上で、被認証者の認証用生体情報が更新されているので、管理者と被認証者との同席による本人確認の作業（手間）を要していた。
【０００５】
この発明は、上記のような課題を解決するためになされたものであり、被認証者の認証用生体情報を更新するときに、管理者と被認証者との同席による本人確認の作業を不要とすることができる個人識別装置を得ることを目的とする。
【課題を解決するための手段】
【０００６】
この発明に係る個人識別装置は、同一の被認証者の互いに異なる身体的特徴の情報である第１及び第２の生体情報を、それぞれ第１及び第２の認証用生体情報として互いに対応付けて登録可能であり、被認証者から取得した第１の生体情報である第１の取得生体情報を用いた個人認証を行うと、同一の被認証者から取得した第２の生体情報である第２の取得生体情報を、第２の認証用生体情報を更新するための仮登録生体情報として仮登録する生体情報登録部を備え、生体情報登録部は、管理者からの確認操作に応じて、予め仮登録した仮登録生体情報を新たな第２の認証用生体情報として更新する。
【発明の効果】
【０００７】
この発明の個人識別装置は、被認証者の第１の生体情報を用いた個人認証を行うと、同一の被認証者から取得した第２の取得生体情報を仮登録生体情報として仮登録し、管理者から確認操作を受けると、予め仮登録した仮登録生体情報を新たな第２の認証用生体情報として更新するので、第１の取得生体情報を用いた被認証者の個人認証を本人確認とすることにより、被認証者の認証用生体情報を更新するときに、管理者と被認証者との同席による本人確認の作業を不要とすることができる。
【発明を実施するための最良の形態】
【０００８】
以下、この発明を実施するための最良の形態について、図面を参照して説明する。
実施の形態１．
図１は、この発明の実施の形態１による個人識別装置を示すブロック図である。
図において、生体情報登録部としての個人識別装置本体（画像処理照合部）１には、複数の被認証者（一般の利用者）の第１の生体情報としての指紋情報が認証用指紋情報として登録されている。また、個人識別装置本体１には、複数の被認証者の第２の生体情報としての顔画像情報が認証用顔画像情報として登録されている。個人識別装置本体１に登録された認証用指紋情報及び認証用顔画像情報は、互いに対応付けられている。
【０００９】
さらにまた、個人識別装置本体１には、被認証者の指紋を読み取り指紋情報を生成する指紋センサ部２と、被認証者の顔画像を撮影し顔画像情報を生成する顔撮像部３と、被認証者又は管理者（マネージャー）から操作される操作部４と、個人識別装置本体１からの情報を表示する表示部５とが接続されている。また、個人識別装置本体１は、指紋センサ部２から指紋情報を受けて取得指紋情報として一時的に記憶するとともに、顔撮像部３から顔画像情報を受けて取得顔画像情報として一時的に記憶する。
【００１０】
さらに、個人識別装置本体１は、取得指紋情報と認証用指紋情報とを照合し、取得指紋情報に対応する被認証者が予め登録されているかどうかを確認する。これとともに、個人識別装置本体１は、取得顔画像情報と認証用顔画像情報とを照合し、取得指紋情報に対応する被認証者が予め登録されているかどうかを確認する。即ち、個人識別装置本体１は、指紋情報及び顔画像情報を用いて、被認証者の個人認証（生体認証）を行う。
【００１１】
さらにまた、個人識別装置本体１は、操作部４を介して入力されるＩＤ番号及びパスワード等によって、個人識別装置本体１の情報資源へのアクセス管理を行い、操作部４を操作した利用者が管理者権限を所持するかどうかを識別する。即ち、個人識別装置本体１は、アクセス管理を行うことにより管理者と被認証者（一般の利用者）とに、操作部４を操作する利用者を識別する。
【００１２】
また、個人識別装置本体１は、操作部４を介して被認証者から認証用顔画像情報の更新要求（再登録要求）の操作を受ける。さらに、個人識別装置本体１は、更新要求の操作に応じて、被認証者の取得指紋情報による個人認証を行い、個人認証が成功すると、被認証者の取得顔画像情報を、認証用顔画像情報を更新するための仮登録顔画像情報として仮登録する。さらにまた、個人識別装置本体１は、仮登録顔画像情報を仮登録した後に、管理者による操作部４の操作を検出すると、仮登録顔画像情報と認証用顔画像情報とを表示部５に表示させて、管理者の目視による仮登録顔画像情報の正否判別を促し、管理者による正否判別の操作を受けるまで待機する。仮登録顔画像情報の正否判別の操作とは、仮登録顔画像情報が正当な被認証者のものであるかどうかを決定する管理者の操作である。
【００１３】
そして、個人識別装置本体１は、仮登録顔画像情報の正否判別の操作の待機中に、管理者から確認操作を受けると、予め仮登録した仮登録顔画像情報を新たな認証用顔画像情報として更新（登録）する。一方、個人識別装置本体１は、仮登録顔画像情報の正否判別の操作の待機中に、管理者から削除操作を受けると、仮登録した仮登録顔画像情報を削除する。
【００１４】
ここで、個人識別装置本体１は、演算処理部（ＣＰＵ）、記憶部（ＲＯＭ、ＲＡＭ及びハードディスク等）及び信号入出力部を持ったコンピュータ（図示せず）により構成することができる。個人識別装置本体１のコンピュータの記憶部には、個人識別装置本体１の動作を実現するためのプログラムが格納されている。
【００１５】
次に、動作について説明する。図２は、図１の個人識別装置本体１による認証用顔画像情報を更新するときの動作を示すフローチャートである。図において、まず、個人識別装置本体１は、顔画像情報の更新要求の操作を受けたかどうかを確認し（ステップＳ１）、顔画像情報の更新要求の操作を受けるまで待機する。顔画像情報の更新要求の操作を受けると、個人識別装置本体１は、被認証者の指紋情報を取得し（ステップＳ２）、取得した指紋情報を取得指紋情報として一時的に記憶する。
【００１６】
そして、個人識別装置本体１は、取得指紋情報と複数の認証用指紋情報とを照合し（ステップＳ３）、被認証者の個人認証が成功したか（被認証者を特定したか）どうかを確認する（ステップＳ４）。個人認証が失敗した場合、個人識別装置本体１は、顔画像情報の更新要求の操作を受けるまで待機する。また、個人認証が成功した場合、個人識別装置本体１は、被認証者の顔画像情報を取得し（ステップＳ５）、取得した顔画像情報を仮登録顔画像情報として仮登録する（ステップＳ６）。そして、個人識別装置本体１は、管理者による仮登録顔画像情報の正否判別の操作を受けたかどうかを確認し（ステップＳ７）、正否判別の操作を受けるまで待機する。
【００１７】
管理者による正否判別の操作を受けると、個人識別装置本体１は、管理者による正否判別の操作が確認操作かどうかを確認する（ステップＳ８）。正否判別の操作が確認操作である場合、個人識別装置本体１は、仮登録顔画像情報を新たな認証用顔画像情報として更新し（ステップＳ９）、顔画像情報の更新要求の操作を受けるまで待機する。また、正否判別の操作が確認操作でない場合、個人識別装置本体１は、記憶した仮登録顔画像情報を削除可能な情報として登録し（ステップＳ１０）、顔画像情報の更新要求の操作を受けるまで待機する。
【００１８】
上記のような個人識別装置では、被認証者から取得した取得指紋情報を用いた個人認証を行うと、同一の被認証者から取得した取得顔画像情報を仮登録顔画像情報として仮登録し、管理者から確認操作を受けると、予め仮登録した仮登録顔画像情報を新たな認証用顔画像情報として更新するので、取得指紋情報を用いた被認証者の個人認証を本人確認とすることにより、認証用顔画像情報を更新するときに、管理者と被認証者との同席による本人確認の作業を不要とすることができるとともに、セキュリティ性を維持することができる。
【００１９】
実施の形態２．
次に、この発明の実施の形態２について説明する。実施の形態１の個人識別装置本体１は、被認証者から取得した指紋情報を用いて被認証者の個人認証を行うと、被認証者から取得した取得顔画像情報を仮登録していたが、実施の形態２の個人識別装置本体１は、顔画像情報を用いて被認証者の個人認証を行うと、被認証者から取得した指紋情報を仮登録指紋情報として仮登録する。他の構成は実施の形態１と同様である。
【００２０】
次に、動作について説明する。図３は、実施の形態２による個人識別装置本体１の認証用指紋情報を更新するときの動作を示すフローチャートである。図において、まず、個人識別装置本体１は、指紋情報の更新要求の操作を受けたかどうかを確認し（ステップＳ１１）、指紋情報の更新要求の操作を受けるまで待機する。指紋情報の更新要求の操作を受けると、個人識別装置本体１は、被認証者の顔画像情報を取得し（ステップＳ１２）、取得した顔画像情報を取得顔画像情報として一時的に記憶する。
【００２１】
そして、個人識別装置本体１は、取得顔画像情報と複数の認証用顔画像情報とを照合し（ステップＳ１３）、被認証者の個人認証が成功したかどうかを確認する（ステップＳ１４）。個人認証が失敗した場合、個人識別装置本体１は、指紋情報の更新要求の操作を受けるまで待機する。また、個人認証が成功した場合、個人識別装置本体１は、被認証者の指紋情報を取得し（ステップＳ１５）、取得した指紋像情報を仮登録指紋情報として仮登録する（ステップＳ１６）。そして、個人識別装置本体１は、管理者による仮登録指紋情報の正否判別の操作を受けたかどうかを確認し（ステップＳ１７）、正否判別の操作を受けるまで待機する。
【００２２】
管理者による正否判別の操作を受けると、個人識別装置本体１は、管理者による正否判別の操作が確認操作かどうかを確認する（ステップＳ１８）。正否判別の操作が確認操作である場合、個人識別装置本体１は、仮登録指紋情報を新たな認証用指紋情報として更新し（ステップＳ１９）、指紋情報の更新要求の操作を受けるまで待機する。また、正否判別の操作が確認操作でない場合、個人識別装置本体１は、記憶した仮登録指紋情報を削除可能な情報として登録し（ステップＳ２０）、顔画像情報の更新要求の操作を受けるまで待機する。
【００２３】
上記のような個人識別装置では、被認証者から取得した取得顔画像情報を用いた個人認証を行うと、同一の被認証者から取得した取得指紋情報を仮登録指紋情報として仮登録し、管理者から確認操作を受けると、予め仮登録した仮登録生体情報を新たな認証用指紋情報として更新するので、取得顔画像情報を用いた被認証者の個人認証を本人確認とすることにより、認証用指紋情報更新時の管理者と被認証者との同席による本人確認の作業を不要とすることができるとともに、セキュリティ性を維持することができる。
【００２４】
実施の形態３．
次に、この発明の実施の形態３について説明する。実施の形態３の個人識別装置本体１は、被認証者からそれぞれ取得した取得指紋画像及び取得顔画像情報を用いて被認証者の個人認証を行うと、被認証者から取得した取得顔画像情報を新たな認証用顔画像情報として自動更新を行う。他の構成は実施の形態１又は実施の形態２と同様である。
【００２５】
次に、動作について説明する。図４は、実施の形態３による個人識別装置本体の認証用顔画像情報の自動更新を行うときの動作を示すフローチャートである。図において、まず、個人識別装置本体１は、顔画像情報の更新要求の操作を受けたかどうかを確認し（ステップＳ２１）、顔画像情報の更新要求の操作を受けるまで待機する。顔画像情報の更新要求の操作を受けると、個人識別装置本体１は、被認証者の顔画像情報を取得し（ステップＳ２２）、取得した顔画像情報を取得顔画像情報として一時的に記憶する。
【００２６】
そして、個人識別装置本体１は、取得顔画像情報と複数の認証用顔画像情報とを照合し（ステップＳ２３）、顔画像情報による被認証者の個人認証が成功したかどうかを確認する（ステップＳ２４）。個人認証が失敗した場合、個人識別装置本体１は、顔画像情報の更新要求の操作を受けるまで待機する。また、個人認証が成功した場合、個人識別装置本体１は、取得顔画像情報を仮登録顔画像情報として仮登録するとともに（ステップＳ２５）、被認証者の指紋情報を取得し（ステップＳ２６）、取得した指紋情報を取得指紋情報として一時的に記憶する。
【００２７】
取得指紋情報を記憶すると、個人識別装置本体１は、取得指紋情報と複数の認証用指紋情報とを照合し（ステップＳ２７）、指紋情報による被認証者の個人認証が成功したか（被認証者を特定したか）どうかを確認する（ステップＳ２８）。個人認証が成功した場合、個人識別装置本体１は、仮登録顔画像情報を新たな認証用顔画像情報として更新し（ステップＳ２９）、顔画像情報の更新要求の操作を受けるまで待機する。また、個人認証が失敗した場合、個人識別装置本体１は、仮登録指紋情報を削除可能な情報として登録し（ステップＳ３０）、顔画像情報の更新要求の操作を受けるまで待機する。
【００２８】
上記のような個人識別装置では、被認証者から取得した取得指紋画像及び取得顔画像情報を用いて被認証者の個人認証を行うと、被認証者から取得した取得顔画像情報を新たな認証用顔画像情報として自動更新を行うので、取得指紋画像及び取得顔画像情報を用いた個人認証を被認証者の本人確認とすることにより、管理者による正否判別の操作を不要とすることができるとともに、被認証者の顔の経年変化（成長、老化）に容易に追従することができる。
【００２９】
なお、実施の形態３では、被認証者から更新要求の操作を受けてから自動更新の動作を行っていたが、更新要求の操作を受けていなくても、被認証者の個人認証を行う度に、認証用顔画像情報の自動更新を行ってもよい。
【００３０】
実施の形態４．
次に、この発明の実施の形態４について説明する。実施の形態４による個人識別装置本体１は、被認証者から取得した取得指紋画像及び取得顔画像情報を用いて被認証者の個人認証を行うと、認証用顔画像情報の自動更新を行うとともに、認証用指紋情報の自動更新を行う。他の構成は実施の形態３と同様である。
【００３１】
次に、動作について説明する。実施の形態４の個人識別装置本体１では、実施の形態３の個人識別装置本体１が仮登録顔画像情報を新たな認証用顔画像情報として登録した後の動作（図４に示すステップＳ２９以降）が異なっており、ここでは、実施の形態３との違いについてのみ説明する。図５は、実施の形態４による個人識別装置本体１の認証用顔画像情報及び認証用指紋情報の自動更新を行うときの動作を示すフローチャートである。図において、個人識別装置本体１は、仮登録顔画像情報を新たな認証用顔画像情報として登録すると、取得指紋情報を新たな認証用指紋情報として更新し（ステップＳ３１）、顔画像情報の更新要求の操作を受けるまで待機する。他の動作は実施の形態３と同様である。
【００３２】
上記のような個人識別装置では、認証用顔画像情報の自動更新を行うとともに、認証用指紋情報の自動更新を行うので、被認証者の顔及び指紋の経年変化に容易に追従することができる。
【００３３】
なお、実施の形態４では、被認証者から更新要求の操作を受けてから自動更新の動作を行っていたが、更新要求の操作を受けていなくても、被認証者の個人認証を行う度に、認証用顔画像情報及び認証用指紋情報の自動更新を行ってもよい。
【００３４】
また、実施の形態１〜４では、生体情報に指紋情報及び顔画像情報を用いたが、指紋情報及び顔画像情報に限るものではなく、被認証者の他の身体的特徴を生体情報として用いてもよく、例えば掌紋、虹彩、静脈形状及び声紋等を用いても良い。
【図面の簡単な説明】
【００３５】
【図１】この発明の実施の形態１による個人識別装置を示すブロック図である。
【図２】図１の個人識別装置本体の認証用顔画像情報を更新するときの動作を示すフローチャートである。
【図３】この発明の実施の形態２による個人識別装置本体の認証用指紋情報を更新するときの動作を示すフローチャートである。
【図４】この発明の実施の形態３による個人識別装置本体の認証用顔画像情報の自動更新を行うときの動作を示すフローチャートである。
【図５】この発明の実施の形態４による個人識別装置本体の認証用顔画像情報及び認証用指紋情報の自動更新を行うときの動作を示すフローチャートである。
【符号の説明】
【００３６】
１  個人識別装置本体（生体情報登録部）。
【図１】
2007289331.tif 000003
【図２】
2007289331.tif 000004
【図３】
2007289331.tif 000005
【図４】
2007289331.tif 000006
【図５】
2007289331.tif 000007